(57)【要約】【課題】複数の金融機関に対してローンの審査を申し込むためのシステム、方法、およびプログラムを提供する。【解決手段】金融機関のローンの審査の申込みフォームと、他の金融機関のローンの審査の申込書と、を関連付けて記憶した書式データベースと、前記申込みフォームに入力された情報を受信する申込みデータ受信部と、前記受信した情報を、前記他の金融機関の前記申込書に記入されるべき情報に読み替える読替部と、前記読み替えた情報を前記他の金融機関の前記申込書にセットすることによって、前記申込書のデータを作成する申込書作成部と、前記申込書のデータを端末へ送信する申込書送信部と、を備える。【選択図】図１
2018139069.tif 000002
【特許請求の範囲】
【請求項１】
金融機関のローンの審査の申込みフォームと、他の金融機関のローンの審査の申込書と、を関連付けて記憶した書式データベースと、
前記申込みフォームに入力された情報を受信する申込みデータ受信部と、
前記受信した情報を、前記他の金融機関の前記申込書に記入されるべき情報に読み替える読替部と、
前記読み替えた情報を前記他の金融機関の前記申込書にセットすることによって、前記申込書のデータを作成する申込書作成部と、
前記申込書のデータを端末へ送信する申込書送信部と
を備えたことを特徴とするローン審査受付サーバ。
【請求項２】
前記読替部は、
前記受信した情報が入力されていた前記申込みフォーム内の項目を特定し、
前記特定した申込みフォーム内の項目に関連付けられた前記他の金融機関の前記申込書内の項目を特定し、
前記受信した情報を、前記特定した申込書内の項目に記入されるべき情報であると決定する
ことを特徴とする請求項１に記載のローン審査受付サーバ。
【請求項３】
前記サーバは、前記金融機関のローンの審査を実行するためのローン審査実行サーバに接続されており、
前記申込みデータ受信部は、前記ローン審査実行サーバへ、前記申込みフォームに入力された情報を送信する
ことを特徴とする請求項１または２に記載のローン審査受付サーバ。
【請求項４】
ローン審査受付サーバによって実行される方法であって、前記ローン審査受付サーバは、金融機関のローンの審査の申込みフォームと、他の金融機関のローンの審査の申込書と、を関連付けて記憶した書式データベースを備え、
前記申込みフォームに入力された情報を受信するステップと、
前記受信した情報を、前記他の金融機関の前記申込書に記入されるべき情報に読み替えるステップと、
前記読み替えた情報を前記他の金融機関の前記申込書にセットすることによって、前記申込書のデータを作成するステップと、
前記申込書のデータを端末へ送信するステップと
を含むことを特徴とする方法。
【請求項５】
ローン審査受付サーバに請求項４に記載の方法を実行させるためのプログラム。
【発明の詳細な説明】
【技術分野】
【０００１】
本発明は、複数の金融機関に対してローンの審査を申し込むことができるシステム、方法、およびプログラムに関する。
【背景技術】
【０００２】
金融機関では、住宅ローンの借入の正式な申込みを受け付ける前に、あらかじめ事前審査（仮審査などとも呼ばれる）を行なっている。住宅ローンを検討している者は、通常、いくつかの金融機関に事前審査を申し込んで、それぞれの金融機関の事前審査の結果を見た上で、借入を申し込む金融機関を最終的に決定している。
【０００３】
従来、住宅ローンの事前審査を申し込みたい者は、手書きで申込書に必要事項を記入していた。そして、申込書はＦＡＸなどで金融機関へ送られていた。申込書の書式は、金融機関ごとに異なる。そのため、複数の金融機関に対して事前審査を申し込みたい者は、複数の申込書に記入していた。つまり、事前審査を申し込みたい者は、申し込みたい金融機関の数だけ、申込書を書かなければならなかった。
【発明の概要】
【発明が解決しようとする課題】
【０００４】
昨今、金融機関では、わざわざ手書きで記入しなくても済むように、インターネット上で住宅ローンの事前審査を申し込むことができるサービスを提供している。具体的には、その金融機関のウェブやアプリ上の申込みフォームに、従来は申込書に記入していた必要事項を入力する。しかしながら、金融機関ごとに申し込まなければならない点は、従来の紙の申込書と変わらない。そのため、その金融機関だけにしか申し込むことができず、他の金融機関へは別途申し込まなければならない。
【０００５】
本発明は、このような問題に鑑みてなされたものであり、その目的とするところは、複数の金融機関に対してローンの審査を容易に申し込むことができるシステム、方法、およびプログラムを提供することにある。
【課題を解決するための手段】
【０００６】
このような目的を達成するために、本発明の一態様である、ローン審査サーバは、金融機関のローンの審査の申込みフォームと、他の金融機関のローンの審査の申込書と、を関連付けて記憶した書式データベースと、前記申込みフォームに入力された情報を受信する申込みデータ受信部と、前記受信した情報を、前記他の金融機関の前記申込書に記入されるべき情報に読み替える読替部と、前記読み替えた情報を前記他の金融機関の前記申込書にセットすることによって、前記申込書のデータを作成する申込書作成部と、前記申込書のデータを端末へ送信する申込書送信部と、を備える。
【発明の効果】
【０００７】
本発明によれば、顧客が入力したデータに基づいて、インターネット上で金融機関にローンの審査を申し込むことができ、かつ、そのデータに基づいて、他の金融機関に対するローンの審査の申込書を作成することができる。
【図面の簡単な説明】
【０００８】
【図１】本発明の一実施形態にかかるサービスの流れを説明するための図である。
【図２】本発明の一実施形態にかかるローン審査申込みシステムの全体の概要図である。
【図３】本発明の一実施形態にかかるローン審査申込みシステムのローン審査受付サーバの機能ブロック図である。
【図４】本発明の一実施形態にかかるローン審査申込みシステムの書式データベースの例である。
【図５】本発明の一実施形態にかかるローン審査申込みシステムの書式データベースの例である。
【図６】本発明の一実施形態にかかるローン審査申込みシステムにおける処理フローを示すシーケンス図である。
【発明を実施するための形態】
【０００９】
以下、図面を参照しながら、本発明の実施形態について詳細に説明する。なお、本明細書では、住宅ローンの事前審査について説明するが、本発明は、住宅ローン以外のマイカーローン、教育ローンなどの任意のローンの審査に適用することもできる。
【００１０】
図１を参照しながら、まず、本発明の一実施形態にかかるサービスの流れを説明する。
【００１１】
本発明では、顧客がウェブやアプリ上の申込みフォームに入力したデータに基づいて、インターネット上で金融機関Ａ  １１０にローンの審査を申し込むことができ、かつ、そのデータに基づいて、金融機関Ｂ〜Ｄ（他の金融機関）１３０に対するローンの審査の申込書を作成することができる。なお、申込みフォームは、金融機関Ａ  １１０によって規定された項目名が採用されている。上述したように、本来、住宅ローンの事前審査の申込書の書式は金融機関ごとに異なる。つまり、どの金融機関でも事前審査のために必要となる情報は基本的に同じであるが、各金融機関において、それぞれ独自に、それらの情報の名称（つまり、その金融機関内での呼び名）を規定している。そのため、申込みフォーム内の入力項目の項目名が、他の金融機関（金融機関Ｂ〜Ｄ  １３０）で規定している名称とは異なる場合がある。
【００１２】
例えば、申込みフォームでは、顧客が借り入れたい金額を入力する項目が“借入希望金額”という項目名だったとする。ところが、金融機関Ｂ  １３０では“借入予定金額”という名称で呼んでいるとする。このような場合、申込みフォーム内の“借入希望金額”に入力された金額を、金融機関Ｂ  １３０の申込書では“借入予定金額”の金額に読み替えなければならない。
【００１３】
・ステップ１で、不動産会社１２０を訪れた顧客は、不動産会社のタブレット端末やスマートフォンなどで、金融機関Ａ  １１０の住宅ローンの事前審査を申し込み、かつ、金融機関Ｂ〜Ｄ（他の金融機関）１３０の住宅ローンの事前審査の申込書の作成を申し込む。具体的には、顧客は、タブレット端末やスマートフォンなどで、金融機関Ａ  １１０以外に事前審査を申し込みたい金融機関（この例では、金融機関Ｂ〜Ｄ）を選択して、申込みフォームに必要事項を一度だけ入力する。顧客がタブレット端末やスマートフォンなどに入力したデータ（つまり、金融機関Ａ  １１０への事前審査の申込み、かつ、金融機関Ｂ〜Ｄ  １３０の申込書の作成の申込み）は、金融機関Ａ  １１０のサーバへ送信される。
【００１４】
・ステップ２で、金融機関Ａ  １１０は、金融機関Ａ  １１０の住宅ローンの事前審査を実行する。本発明に係るサービスの申込みフォームは、金融機関Ａ  １１０によって規定された項目名が採用されている。そのため、金融機関Ａ  １１０では、顧客がステップ１で申込みフォームに入力したデータをそのまま使用することができる。
【００１５】
・ステップ３で、金融機関Ａ  １１０の住宅ローンの事前審査の結果が顧客のスマートフォンなどへ通知される。
【００１６】
金融機関Ａ  １１０に対する事前審査の申込みは、上記のステップ２〜３のように処理される。一方、金融機関Ｂ〜Ｄ（他の金融機関）１３０に対して顧客が住宅ローンの事前審査を簡単に申し込めるように、下記のステップ４〜７の処理が行なわれる。
【００１７】
・ステップ４で、金融機関Ａ  １１０は、顧客がステップ１で申込みフォームに入力したデータを使用して、金融機関Ｂ〜Ｄ  １３０のそれぞれの申込書を作成する。具体的には、ステップ１で申込みフォームの各項目の入力欄に入力されたデータが、例えば金融機関Ｂの申込書の該当する項目の記入欄に自動的に記入される。金融機関Ｃおよび金融機関Ｄの申込書も同様に作成される。このように各項目の記入欄が埋められた（つまり、記入済みとなっている）申込書のデータ（ＰＤＦデータなど）が作成される。したがって、顧客は、このＰＤＦデータを印刷さえすれば、金融機関Ｂ〜Ｄ  １３０へ住宅ローンの事前審査を簡単に申し込むことができる。
【００１８】
・ステップ５で、金融機関Ａ  １１０は、不動産会社のタブレット端末やパーソナルコンピュータなどおよび顧客のスマートフォンへ、ステップ４で作成した金融機関Ｂの申込書、金融機関Ｃの申込書、金融機関Ｄの申込書のＰＤＦデータを送信する。
【００１９】
・ステップ６で、金融機関Ｂ〜Ｄ  １３０の申込書が印刷される。
【００２０】
・ステップ７で、金融機関Ｂ〜Ｄ  １３０へ、ステップ６で印刷した申込書をＦＡＸで送ることによって、顧客は他の金融機関（つまり、金融機関Ｂ〜Ｄ  １３０）に対して住宅ローンの事前審査を申し込むことができる。
【００２１】
図２は、本発明の一実施形態にかかるローン審査申込みシステム２００の全体の概要図である。ローン審査申込みシステム２００は、インターネット上で金融機関２１０（例えば、金融機関Ａ）に住宅ローンの事前審査を申し込むことができ、かつ、他の金融機関２３０（例えば、金融機関Ｂ〜Ｄ）に対する住宅ローンの事前審査の申込書を作成することができるシステムである。
【００２２】
金融機関２１０には、ローン審査受付サーバ２１１およびローン審査実行サーバ２１２が設置される。ローン審査受付サーバ２１１は、本発明に係るサービスの申込みを受け付けて各種処理を実行するためのサーバである。ローン審査実行サーバ２１２は、金融機関２１０の住宅ローンの事前審査を実行するためのサーバである。なお、金融機関２１０以外の者がローン審査受付サーバ２１１を運営するようにしてもよい。
【００２３】
不動産会社２２０には、申込み端末２２１、プリンター２２２、ＦＡＸ（ファクシミリ）２２３が設置される。顧客端末２２４は、金融機関２１０および他の金融機関２３０に住宅ローンの事前審査を申し込みたい顧客の端末である。他の金融機関２３０（つまり、金融機関２１０以外の金融機関。例えば、金融機関Ｂ〜Ｄ）には、それぞれ、ＦＡＸ２３１〜２３３が設置される。以下、各サーバおよび端末について詳細に説明する。
【００２４】
ローン審査受付サーバ２１１は、金融機関２１０の住宅ローンの事前審査の申込み、および、他の金融機関２３０の住宅ローンの事前審査の申込書の作成の申込み、を受け付けて、各種処理を実行するためのサーバである。以下、図３を参照しながら、ローン審査受付サーバ２１１について詳細に説明する。
【００２５】
図３は、本発明の一実施形態にかかるローン審査申込みシステムのローン審査受付サーバ２１１の機能ブロック図である。ローン審査受付サーバ２１１は、申込みデータ受信部３０１、読替部３０２、申込書作成部３０３、申込書送信部３０４、書式データベース３０５を備えることができる。ローン審査受付サーバ２１１は、プロセッサおよびメモリを含むコンピュータである。また、ローン審査受付サーバ２１１は、申込みデータ受信部３０１、読替部３０２、申込書作成部３０３、申込書送信部３０４を動作させるためのプログラム、または、後述する処理フローを実行するためのプログラム、を格納した記憶媒体を含む。また、ローン審査受付サーバ２１１は、ローン審査実行サーバ２１２、申込み端末２２１、顧客端末２２４のそれぞれと、データの送受信をすることができる。以下、申込みデータ受信部３０１〜書式データベース３０５のそれぞれについて詳細に説明する。
【００２６】
申込みデータ受信部３０１は、申込み端末２２１から、申込みデータを受信することができる。金融機関２１０および他の金融機関２３０に住宅ローンの事前審査を申し込みたい顧客は、申込み端末２２１にインストールされたアプリケーションソフトウェアあるいはウェブページ上に表示される申込みフォームの各項目の入力欄に、申込みデータを入力することができる。申込みデータは、事前審査のために必要となる情報のデータを含むことができる。事前審査のために必要となる情報のデータは、例えば、借入内容や資金計画の情報、申込人の情報、勤め先の情報、物件共有者や担保提供者の情報、借入対象物件の情報などのデータである。また、申込みデータ受信部３０１は、顧客が金融機関２１０以外に事前審査を申し込みたい金融機関（つまり、他の金融機関２３０のうちのいずれかの金融機関）を示すデータを受信することができる。また、運転免許証、健康保険証、源泉徴収票などの必要書類を撮影またはスキャンした画像のデータが、申込み端末２２１からローン審査受付サーバ２１１へアップロードされるようにしてもよい。なお、申込みデータ受信部３０１は、顧客端末２２４から、申込みデータや申し込みたい金融機関を示すデータを受信することもできる（つまり、本発明は、顧客が不動産会社を介さずに直接金融機関へ住宅ローンを申し込む場合にも適用することができる）。
【００２７】
金融機関２１０の住宅ローンの事前審査を実行するために、申込みデータ受信部３０１は、ローン審査実行サーバ２１２へ、申込み端末２２１から受信した申込みデータ、および、必要書類の画像のデータを送信することができる。申込みフォームは、金融機関２１０によって規定された項目名が採用されている。そのため、金融機関２１０では、申込み端末２２１から受信したデータをそのまま使用することができる。一方、他の金融機関２３０の住宅ローンの事前審査の申込書を作成するために、読替部３０２および申込書作成部３０３は、以下の処理を実行する。
【００２８】
読替部３０２は、申込みフォームの各項目の入力欄に入力されたデータを、他の金融機関２３０の申込書の各項目の記入欄に記入されるべきデータに読み替えることができる。読替部３０２の具体的な説明の前に、まず、書式データベース３０５について説明する。
【００２９】
書式データベース３０５は、他の金融機関２３０の住宅ローンの事前審査の申込書のそれぞれの書式に関する情報を格納したデータベースである。以下、図４を参照しながら、書式データベース３０５について詳細に説明する。
【００３０】
図４は、本発明の一実施形態にかかるローン審査申込みシステムの書式データベース３０５の例である。書式データベース３０５は、申込みデータが、他の金融機関２３０の申込書内のどこに記入されるべきかを判断するために用いられる。つまり、金融機関Ａ  ２１０では、金融機関Ａ  ２１０によって規定された申込みフォームの各項目と、他の金融機関（金融機関Ｂ〜Ｄ）２３０のそれぞれの申込書の各項目とが、どのように対応しているのかを管理している。
【００３１】
例えば、図４では、申込みフォームの各項目（つまり、金融機関Ａによって規定された各項目）と、金融機関Ｂの申込書の各項目との関係を示している。
【００３２】
（１）例えば、申込みフォームの項目名と金融機関Ｂの申込書の項目名とが異なるが、実際には２つの項目名が同一の情報を表わしている場合がある。図４で示すように、申込みフォームでは「借入希望金額」という項目名であるが、金融機関Ｂの申込書では「借入予定金額」という項目名であったとする。この場合、書式データベース３０５は、申込みフォームの「借入希望金額」と金融機関Ｂの申込書の「借入予定金額」とを紐付けて記憶しておく。
【００３３】
（２）また、例えば、申込みフォームの入力順序と金融機関Ｂの申込書の記入順序とが異なる場合がある。図４で示すように、申込みフォームでは“「氏名」→「住所」→「電話番号」”という順序で入力するが、金融機関Ｂの申込書では“「氏名」→「電話番号」→「住所」”という順序で記入するとする。この場合、書式データベース３０５は、申込みフォームの「住所」と金融機関Ｂの申込書の「住所」とを紐付けて、かつ、申込みフォームの「電話番号」と金融機関Ｂの申込書の「電話番号」とを紐付けて記憶しておく。
【００３４】
（３）また、例えば、申込みフォームと金融機関Ｂの申込書との間で項目のまとめ方が違う場合がある。図４で示すように、申込みフォームでは「勤め先」の中に項目「年収」があるが、金融機関Ｂの申込書では「申込人」の中に項目「年収」があったとする。この場合、書式データベース３０５は、申込みフォームの「勤め先」内の「年収」と、金融機関Ｂの申込書の「申込人」内の「年収」とを紐付けて記憶しておく。
【００３５】
（４）また、例えば、金融機関Ｂの申込書内の回答の選択肢が、申込みフォーム内の回答の選択肢の上位概念である場合がある。図４で示すように、申込みフォームでは「銀行」や「保険」であったが、金融機関Ｂの申込書では「（銀行や保険の上位概念である）金融機関」であったとする。この場合、書式データベース３０５は、申込フォームの「銀行」および「保険」と金融機関Ｂの申込書の「金融機関」とを紐付けて記憶しておく。逆に、申込みフォーム内の回答の選択肢が金融機関Ｂの申込書内の回答の選択肢の上位概念である場合にも、両者の選択肢を紐付けておいてもよい（ただし、この場合、申込みフォームの１つの選択肢が申込書の複数の選択肢に該当することになる。そのため、例えば、申込みフォームの上位概念の選択肢と申込書の下位概念の選択肢のうちのいずれかの選択肢とを紐付けておいてもよいし、あるいは、申込書のこの項目の記入欄を空白のままとするようにしてもよい）。
【００３６】
（５）また、例えば、申込みフォーム内では１つの項目であったが、金融機関Ｂの申込書では複数の項目に分かれる場合がある（逆もあり）。図４で示すように、申込みフォームでは「住所（郵便番号を含む）」だけであったが、金融機関Ｂの申込書では「郵便番号」と「住所」の２つの項目に分かれるとする。この場合、書式データベース３０５は、申込みフォームの「住所」の所定の部分（つまり、“〒（  −  ）”などの郵便番号が入力される部分）と金融機関Ｂの申込書の「郵便番号」とを紐付けて、かつ、申込みフォームの「住所」の残りの部分（つまり、所定の部分以外の部分）と金融機関Ｂの申込書の「住所」とを紐付けて記憶しておく。
【００３７】
（６）また、例えば、申込みフォーム内の回答の選択肢と、金融機関Ｂの申込書内の回答の選択肢とが異なる場合がある。図４で示すように、申込みフォームでは“「１．新築（一戸建て）」、「２．新築（マンション）」、「３.中古（一戸建て）」、「４．中古（マンション）」”という選択肢であるが、金融機関Ｂの申込書では“「ａ．マンション（中古）」、「ｂ．マンション（新築）」、「ｃ．一戸建て（中古）」、「ｄ．一戸建て（新築）」”という選択肢であったとする。この場合、書式データベース３０５は、例えば、申込みフォームの「１．新築（一戸建て）」と金融機関Ｂの申込書の「ｄ．一戸建て（新築）」とを紐付けて記憶しておく。他の選択肢についても同様である。
【００３８】
このように、書式データベース３０５は、同一の情報を表わしている２つ項目名（つまり、申込みフォームの項目名と金融機関Ｂの申込書の項目名）を紐付けて記憶しておく。なお、図４では、金融機関Ｂについてのみ説明したが、すべての他の金融機関（金融機関Ｃ、Ｄ、・・・・・）のそれぞれの申込書の各項目と申込みフォームの各項目との関係が記憶される。
【００３９】
図３の読替部３０２の説明に戻る。上述したように、読替部３０２は、書式データベース３０５を参照して、申込みフォームの各項目の入力欄に入力されたデータを、他の金融機関２３０の申込書の各項目の記入欄に記入されるべきデータに読み替えることができる。具体的には、読替部３０２は、申込みデータ受信部３０１が受信した申込みデータ（例えば、“３０００万円”）が、申込みフォーム内のどの項目の入力欄に入力されたデータであるかを特定する（例えば、“借入希望金額”だったとする）。また、読替部３０２は、書式データベース３０５を参照して、申込みフォーム内の特定した項目（つまり、“借入希望金額”）に紐付けられた、他の金融機関２３０の申込書内の項目を特定する（図４の金融機関Ｂであれば、“借入予定金額”）。また、読替部３０２は、申込みデータ（この例では、“３０００万円”）が、他の金融機関２３０の申込書内の特定した項目（この例では、金融機関Ｂの“借入予定金額”）のデータである、とメモリに記憶することができる。
【００４０】
申込書作成部３０３は、読替部３０２が読み替えたデータを使用して、他の金融機関２３０の申込書のデータ（例えば、ＰＤＦデータ）を作成することができる。申込書作成部３０３の具体的な説明の前に、図５を参照しながら、書式データベース３０５についてさらに説明する。
【００４１】
図５は、本発明の一実施形態にかかるローン審査申込みシステムの書式データベース３０５の例である。書式データベース３０５は、図５の下側で示されるように、他の金融機関２３０の申込書の書式（つまり、実際に、他の金融機関２３０で使用されている申込書の体裁）を記憶している。また、書式データベース３０５は、図５の上側で示される各項目（図４で申込みフォームの各項目と紐付けられた各項目）が、図５の下側で示される申込書の書式内のどこに位置するかを記憶している。なお、図５では、金融機関Ｂについてのみ説明したが、すべての他の金融機関（金融機関Ｃ、Ｄ、・・・・・）のそれぞれの申込書の各項目と申込書の書式（体裁）との関係が記憶される。
【００４２】
図３の申込書作成部３０３の説明に戻る。申込書作成部３０３は、書式データベース３０５を参照して、読替部３０２が読み替えた他の金融機関２３０の申込書に記入されるべきデータを、他の金融機関２３０の申込書に記入することができる（図５参照）。具体的には、申込書作成部３０３は、申込みデータ受信部３０１が受信した申込みデータを、他の金融機関２３０の申込書内の読替部３０２が特定した項目の記入欄に書き入れる。つまり、申込書作成部３０３は、申込書の空白の記入欄に文字や数字などを挿入したり、申込書の選択肢を選択するために丸で囲ったりレ点を挿入したりする（以下、セットするとも言う）。このように、申込書作成部３０３は、印刷さえすれば、他の金融機関２３０へＦＡＸで送って住宅ローンの事前審査を申し込むことができる申込書のデータ（例えば、ＰＤＦデータ）を作成することができる。
【００４３】
なお、申込書のデータは、申込書の書式のデータ（つまり、未記入の申込書のデータ）と、セットされた文字や数字などのデータと、を組み合わせたデータとすることができる。この場合、白紙に、受信した申込書のデータ（つまり、申込書に文字や数字などがセットされたもの）を印刷することによって、申込書を完成させることができる。別の実施形態として、申込書のデータは、セットされた文字や数字などのみのデータとすることができる。すなわち、未記入の申込書に、受信した申込書のデータ（つまり、文字や数字など）を印刷することによって、申込書を完成させることができる。
【００４４】
申込書送信部３０４は、申込み端末２２１と顧客端末２２４との少なくとも一方へ、申込書作成部３０３が作成した申込書（例えば、金融機関Ｂの申込書、金融機関Ｃの申込書、金融機関Ｄの申込書）のデータを送信することができる。例えば、申込書送信部３０４は、申込書のデータを電子メールに添付して送信することができる。あるいは、申込書送信部３０４は、申込み端末２２１や顧客端末２２４にインストールされたアプリケーションソフトウェアあるいはウェブページを介して、申込書のデータを印刷したり、申込書のデータをダウンロードしたりできるようにすることができる。
【００４５】
なお、ローン審査受付サーバ２１１は、金融機関Ｂ〜Ｄの申込書のデータを送信した後に（例えば、顧客が金融機関Ｂ〜Ｄの事前審査の結果を見た後で）、追加で別の金融機関（例えば、金融機関Ｅ〜Ｇ）の申込書を作成するよう求める要求を申込み端末２２１などから受信することができる。ローン審査受付サーバ２１１は、その要求に応じて、別の金融機関（つまり、金融機関Ｅ〜Ｇ）の申込書のデータを作成して送信することができる。
【００４６】
図２に戻る。ローン審査実行サーバ２１２は、ローン審査受付サーバ２１１から、申込みデータ、および、必要書類の画像のデータを受信することができる。そして、ローン審査実行サーバ２１２は、従来どおり、金融機関２１０の住宅ローンの事前審査を実行することができる。ローン審査実行サーバ２１２は、顧客端末２２４へ、事前審査の結果を示すデータを送信することができる。なお、ローン審査実行サーバ２１２は、申込み端末２２１へ、事前審査の結果を示すデータを送信することもできる。また、ローン審査実行サーバ２１２は、ローン審査受付サーバ２１１を経由して、事前審査の結果を示すデータを送信することもできる。
【００４７】
申込み端末２２１は、不動産会社２２０が顧客の住宅ローンの事前審査の申込みのために用意した、例えば、パーソナルコンピュータ、タブレット端末、スマートフォンなどの端末であるが、これらに限定されず、本明細書に記載された処理を実行できる機器であればよい。申込み端末２２１は、ローン審査受付サーバ２１１へ、顧客が入力した申込みデータや申し込みたい金融機関を示すデータを送信することができる。また、申込み端末２２１は、ローン審査受付サーバ２１１から、他の金融機関２３０の申込書のデータを受信することができる。
【００４８】
プリンター２２２は、申込み端末２２１に接続された印刷機であるが、これに限定されず、本明細書に記載された処理を実行できる機器であればよい。例えば、不動産会社２２０の担当者は、ローン審査受付サーバ２１１から送信されてきた他の金融機関２３０の申込書のデータをプリンター２２２で印刷して、顧客にこの申込書に署名、捺印を求めることができる。
【００４９】
ＦＡＸ２２３は、不動産会社２２０が顧客の住宅ローンの事前審査の申込みのために用意したファクシミリであるが、これに限定されず、本明細書に記載された処理を実行できる機器であればよい。ＦＡＸ２２３は、他の金融機関２３０のそれぞれのＦＡＸ（例えば、ＦＡＸ２３１〜２３３）へ、各社の住宅ローンの事前審査の申込書を送ることができる。その後、各金融機関２３０は、従来どおり、住宅ローンの事前審査を実行することができる。なお、他の金融機関２３０への申込みは、ＦＡＸに限らず郵送などでもよい。
【００５０】
顧客端末２２４は、例えば、顧客のスマートフォンやパーソナルコンピュータなどの端末であるが、これらに限定されず、本明細書に記載された処理を実行できる機器であればよい。顧客端末２２４は、ローン審査受付サーバ２１１から、他の金融機関２３０の申込書のデータを受信することができる。そのため、顧客は、自宅などのプリンターやＦＡＸで、他の金融機関２３０へ申込書を送ることができる。また、顧客端末２２４は、ローン審査実行サーバ２１２から、金融機関２１０の事前審査の結果を示すデータを受信することができる。
【００５１】
なお、顧客に自署させることによって申込みの意思を確認するために、他の金融機関２３０の申込書の項目のうち、氏名、住所、生年月日などの項目の記入欄を空白のままとしてもよい。すなわち、ローン審査受付サーバ２１１は、申込みフォームには入力されたデータのうちの一部の項目のデータを、他の金融機関２３０の申込書にはセットしないようにする。また、金融機関２１０の申込みフォームには存在しない項目であるが、他の金融機関２３０の申込書には存在する項目がある場合、この項目の記入欄を空白のままとしておくことができる。この場合であっても、顧客は、氏名、住所、生年月日、申込みフォームには存在しなかった項目などの最低限の項目を書くだけで、他の金融機関２３０の申込書を完成させることができる。
【００５２】
図６は、本発明の一実施形態にかかるローン審査申込みシステムにおける処理フローを示すシーケンス図である。
【００５３】
ステップ６０１において、申込み端末２２１は、ローン審査受付サーバ２１１へ、申込みデータおよび住宅ローンの事前審査を申し込みたい他の金融機関２３０を示すデータを送信する。申込みデータは、申込みフォームの各項目の入力欄に入力される。
【００５４】
ステップ６０２において、ローン審査受付サーバ２１１は、ローン審査実行サーバ２１２へ、ステップ６０１で受信した申込みデータを送信する。
【００５５】
ステップ６０３において、ローン審査実行サーバ２１２は、ステップ６０２で受信した申込みデータに基づいて、金融機関２１０の住宅ローンの事前審査を実行する。
【００５６】
ステップ６０４において、ローン審査実行サーバ２１２は、顧客端末２２４へ、ステップ６０３で実行した事前審査の結果を通知する。
【００５７】
上記のステップ６０２〜６０４のように、金融機関２１０に対する事前審査の申込みが処理される。以下のステップでは、他の金融機関２３０の申込書が作成される。
【００５８】
ステップ６０５において、ローン審査受付サーバ２１１は、他の金融機関２３０の申込書のデータを作成する。具体的には、まず、ローン審査受付サーバ２１１は、ステップ６０１で受信した申込みデータが入力されていた申込みフォーム内での項目名を特定する。次に、ローン審査受付サーバ２１１は、書式データベース３０５を参照して、当該特定した申込みフォーム内の項目名に紐付けられた、他の金融機関２３０の申込書内での項目名を特定する。次に、ローン審査受付サーバ２１１は、書式データベース３０５を参照して、その申込書の書式（体裁）内で、当該特定した申込書内の項目名の記入欄を特定する。次に、ローン審査受付サーバ２１１は、ステップ６０１で受信した申込みデータを、当該特定した記入欄に書き入れる（セットする）。ローン審査受付サーバ２１１は、ステップ６０１で受信したデータが示す他の金融機関２３０ごとの申込書のデータを作成する。
【００５９】
ステップ６０６において、ローン審査受付サーバ２１１は、申込み端末２２１と顧客端末２２４との少なくとも一方へ、ステップ６０５で作成した他の金融機関２３０の申込書のデータを送信する。
【００６０】
ステップ６０７において、プリンター２２２は、ステップ６０６で受信した申込書のデータを印刷する。
【００６１】
ステップ６０８において、ＦＡＸ２２３は、他の金融機関２３０のＦＡＸ２３１〜２３３のそれぞれへ、ステップ６０７で印刷した他の金融機関２３０の申込書を送る。
【００６２】
なお、金融機関２１０に関する処理（ステップ６０２〜６０４）と、他の金融機関２３０に関する処理（ステップ６０５〜６０８）とは、同時に実行されてもよい。
【００６３】
このように、本発明では、顧客は、住宅ローンの事前審査のために必要となる情報を一度入力するだけで、金融機関に事前審査の申込みをすることができ、かつ、記入済みの他の金融機関の申込書のデータを受け取ることができる。そのため、顧客は、受け取った申込書のデータを印刷して、そのまま他の金融機関への事前審査の申込みに利用することができる。
【００６４】
ここまで、本発明の実施形態について説明したが、上記実施形態はあくまで例であり、本発明は上述した実施形態に限定されず、その技術的思想の範囲内において種々異なる形態にて実施されてよいことは言うまでもない。
【００６５】
また、本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【符号の説明】
【００６６】
１１０  金融機関Ａ
１２０  不動産会社
１３０  金融機関Ｂ〜Ｄ（他の金融機関）
２００  ローン審査申込みシステム
２１０  金融機関（金融機関Ａ）
２１１  ローン審査受付サーバ
２１２  ローン審査実行サーバ
２２０  不動産会社
２２１  申込み端末
２２２  プリンター
２２３  ＦＡＸ
２２４  顧客端末
２３０  他の金融機関
２３１  ＦＡＸ（金融機関Ｂ）
２３２  ＦＡＸ（金融機関Ｃ）
２３３  ＦＡＸ（金融機関Ｄ）
３０１  申込みデータ受信部
３０２  読替部
３０３  申込書作成部
３０４  申込書送信部
３０５  書式データベース
【図１】
2018139069.tif 000003
【図２】
2018139069.tif 000004
【図３】
2018139069.tif 000005
【図４】
2018139069.tif 000006
【図５】
2018139069.tif 000007
【図６】
2018139069.tif 000008